(57)【特許請求の範囲】
【請求項１】
アナログオーディオ波形を生成するアナログ信号ソースアセンブリ、
該アナログ信号ソースアセンブリの位置データを生成する位置データエンコーダ、及び
該位置データに対応するレートで該アナログオーディオ波形をサンプリングし、外部デジタル信号を出力する信号処理ユニット
を備え、該位置データによって外部デジタル信号の出力を制御する信号処理装置。
【請求項２】
アナログ信号ソースアセンブリは更に、
針、
針に接続される少なくとも一つのトランスデューサ、及び
該アナログ信号ソースアセンブリに対する針の位置に関する位置データを生成する位置エンコーダ
を含む、請求項１記載の信号処理装置。
【請求項３】
アナログ信号ソースアセンブリは更に、
スピンドル、
該スピンドルを中心として回転可能な支持表面を有するプラッター、及び
該支持表面が該スピンドルを中心として回転することにより生成される速度を求める速度センサ
を含む請求項１記載の信号処理装置。
【請求項４】
速度センサがスピンドルに接続される、請求項３記載の信号処理装置。
【請求項５】
速度センサがプラッターに接続される、請求項３記載の信号処理装置。
【請求項６】
速度センサが光学スキャナを含む、請求項３記載の信号処理装置。
【請求項７】
速度センサが磁気スキャナを含む、請求項３記載の信号処理装置。
【請求項８】
速度センサがローラアセンブリを含む、請求項３記載の信号処理装置。
【請求項９】
アナログ波形及びデジタル波形の処理方法であって、
アナログ波形を生成するステップ、
生成された該アナログ波形の各部分に関する位置データを生成するステップ、
該デジタル波形を供給するステップ、及び
位置データに基づいて該デジタル波形を出力するステップ
を含む方法。
【請求項１０】
更に、生成されたアナログ波形をサンプリングするステップを含む、請求項９記載のアナログ信号及びデジタル信号の処理方法。
【請求項１１】
更に、デジタル波形の少なくとも一つの部分をサンプリング済みアナログ波形の少なくとも一つの部分に同期させるステップを含む、請求項１０記載のアナログ信号及びデジタル信号の処理方法。
【請求項１２】
更に、位置データに対応するレートで生成されたアナログ波形をサンプリングするステップを含む、請求項１０記載のアナログ信号及びデジタル信号の処理方法。
【請求項１３】
アナログ波形を生成するステップが、表面を回転させるステップをさらに含む、請求項９記載のアナログ信号及びデジタル信号の処理方法。
【請求項１４】
位置データを生成するステップが、回転する表面の速度を求めるステップを更に含む、請求項１３記載のアナログ信号及びデジタル信号の処理方法。
【請求項１５】
デジタル波形を出力するステップが更に回転する表面の速度に基づいて行なわれる、請求項１４記載のアナログ信号及びデジタル信号の処理方法。
【請求項１６】
周期信号を周期的に生成するステップ
を更に含み、デジタル波形を出力するステップが更に周期的に生成される周期信号に基づいて行なわれる、請求項９記載のアナログ信号及びデジタル信号の処理方法。
【発明の詳細な説明】
【発明の開示】
【０００１】
技術分野
本発明は、ユーザが選択する表面上の位置を検出し、検出位置に対する情報に基づいてデジタルソースを操作するシステム及び方法に関する。
【０００２】
背景技術
アナログ機器を操作するためにディスクジョッキー（ＤＪ）が使用する技術はほとんど全世界共通になっている。このような技術の最終目標は、通常、少なくとも２つの機器の間の信号（オーディオ信号、ビデオ信号など）をロックするか、又は同期させることである。今まで、ＤＪの間で最も頻繁に使用されているアナログ機器は、アナログビニルレコードから音を生成する機能を備えるアナログレコードターンテーブルである。近年、デジタル化されたアナログサウンドをＣＤから生成する機能を備えるコンパクトディスク（ＣＤ）プレーヤーがＤＪの間で認知され、使用されるようになってきている。しかしながら、ＣＤプレーヤーは従来のアナログターンテーブルの場合のようには簡単には操作することができない。
【０００３】
これまで、ＣＤプレーヤーをアナログターンテーブルと同じように操作するために多くの技術が提案されてきている。このような技術の一つとして、タイムコードを使用する方法があり、このコードを使用して、ビニルアナログレコードに格納されているトラック情報を生成する。ビニルアナログレコードを従来のアナログターンテーブルに「かける」ことにより、レコードに格納されているタイムコードを読み出し、使用して、ＣＤプレーヤーのような外部デジタルサウンドソースとの同期を行なう。しかしながら、この技法を使用すると、ビニルレコードがかかっている状態で従来型レコードプレーヤーを操作している間に有害な遅れが生じ、システムの応答が劣化する。更に、ビニルレコードに格納されて入るアナログタイムコードは時間と共に悪化して、ビニルレコードを取り替える必要が生じてコストが高く付く。ビニルレコードを取り替えない場合には、レコードによる異常な演奏が行なわれることになる。最後に、普通のビニルレコード（タイムコードが格納されていないビニルレコード）を上に記載したシステムを使用してかけると、ＤＪはデジタルソース（例えばサウンドソース）を全く制御及び操作することができない。
【０００４】
従来のサウンド操作技法に関する問題をこのように理解し、認識することによって本発明を考案するに至った。
【０００５】
発明の概要
従って、本発明の目的は、表面の上の位置に固有の情報を外部ソースに同期させる方法及びシステムを提供することにあり、この方法及びシステムによって関連技術分野における制約及び不具合に起因する諸問題の一つ以上をほぼ解決することができる。
【０００６】
本発明の利点は、ユーザ、例えばＤＪがオーディオ及びビデオデジタル媒体を、既存のビニルレコードを演奏する機能を備えるアナログ制御ユニットを用いて制御することができることである。
【０００７】
本発明の別の利点は、所定の歌に関する情報がユーザに提供されることである。この情報によってユーザはビニルレコードをデジタルソースに１回の操作で同期させることができ、この情報を保存して次のレコード演奏に使用することができる。
【０００８】
本発明の原理によれば、トラッキング情報はビニルレコードに格納されているタイムコードからは得られない。そうではなく、トラッキング情報は制御ユニットから得られる寸法情報から算出することができる。寸法情報は、ビニルレコードの溝内部における針の位置であって、アナログターンテーブルからの実際の位置に関するものである。
【０００９】
従って、本発明のシステムは溝内部の針の細かで、且つ高速の動きだけでなく、既存のレコードの上の針の縦方向の任意の位置を追跡する。本発明によってまた、ビニルレコードを使用してデジタルソースを操作する既存の方法に安定な制御機能（微調整）が付加される。更に、ユーザは既存のレコードの演奏をどの時点においても開始することができ、外部デジタルソースを捕捉してロックするまでの待ち時間を無駄にしなくて済む。
【００１０】
本発明の更に別の特徴及び利点を後述するが、これらの特徴及び利点は部分的にその記述から明らかになるか、或いは本発明を実施することにより認識することができる。本発明の目的及び他の利点は、本明細書の記述及び請求の範囲の記述だけでなく、添付図面に特に開示される構造によって実現し、達成することができる。
【００１１】
これらの利点及び他の利点を実現するため、本発明の目的に従って、以下に具体化され、本明細書に広義に記載されているように、表面の上の位置に固有の情報をデジタルソースに同期させる装置は、ピンと、アームを介してピンに回転可能に接続され、且つピンから第１の所定距離に位置する針と、アームの位置に関する位置データを生成する位置エンコーダと、針に接続され、且つアームの位置に関するアナログ電気信号を生成する機能を有するアナログ信号ソースと、デジタル信号、位置データ、及びアナログ電気信号を受信し、デジタル信号を出力する信号処理ユニットとを備え、位置データによってデジタル信号の出力を制御する。
【００１２】
本発明の別の態様では、アナログ信号及びデジタル信号の処理方法を提供し、本方法においては、アナログオーディオ波形を生成し、生成されたアナログオーディオ波形の部分に関する位置データを生成し、デジタル信号を供給し、位置データに基づいてデジタル信号を出力する。
【００１３】
上記概略及び次の詳細記述は共に例示且つ説明のためのものであり、請求の範囲に記載される本発明に更に説明を加えるために為されるものであることを理解されたい。
【実施例】
【００１４】
本発明に対する理解を更に深めるために含まれ、且つ本明細書の一部に組み入れられてその一部を構成する添付図面は、本発明の実施形態を例示するためのものであり、以下の詳細な説明と共に本発明の原理を説明する。
【００１５】
ここで、本発明の実施形態について、これらの実施形態を例示する添付図面を参照しながら詳細に記載する。
【００１６】
図１は、レコード（例えば、ビニルアナログオーディオレコード）の表面上の位置に固有のオーディオ情報を、少なくとも一つの外部デジタルデータソースに同期させ、同期情報を少なくとも一つの外部デジタルデータソースに同期させて出力する装置の概要を示している。
【００１７】
本発明の原理によれば、同期とは、２本の関連プログラムを一緒に時間的にロックしている状態を維持するプロセスと解釈することができる。同期においては、マスターデバイスが生成する信号によって、スレーブデバイスが生成する信号を制御する必要がある。従って、マスターデバイスからの信号によって、スレーブデバイスからの信号をいつ、どのような速さで出力すべきかを決定し、マスターデバイスからの信号の変化をスレーブデバイスからの信号の変化に反映させる。
【００１８】
図１を参照すると、マスターデバイスは、外部デジタルデータソース３００のような少なくとも一つのスレーブデバイスにデータプロセッサユニット２００を介して接続される制御ユニット１００として特徴付けることができる。
【００１９】
本発明の一態様では、レコード上の所定の位置に固有のオーディオ波形を外部デジタルデータソースからの信号に、制御ユニット１００及びデータプロセッサユニット２００を使用して同期させ、レコードの溝内部の針の位置、すなわち針位置を求めることができる。データプロセッサユニット２００は針位置を、サンプリングされたオーディオ波形の一部に関連する該当情報に一致させる。一致した針位置は、外部デジタルデータソースのデジタル信号の一部に関連付けられる。従って、アナログレコードからの音は、少なくとも一つの外部デジタルデータソースのデジタル信号に同期して出力することができる。
【００２０】
本発明の別の態様では、制御ユニット１００、例えばターンテーブルユニットの出力ポート１０２は、データプロセッサユニット２００の対応するＳＣＳＩ、ＵＳＢ、又は他の適切なタイプのポート２０２に接続することができ、これによって、内部トラック針位置を求めるために有用なデジタルオーディオ信号及び情報を制御ユニット１００からデータプロセッサユニット２００に送信することができる。制御ユニット１００のアナログオーディオ出力ポート１０４は、スピーカのような外部出力機器４３０の対応するポートに接続することができ、これによって、レコード上の位置に対応するオーディオ信号と同期したオーディオ信号を出力することができる。データプロセッサユニット２００の、例えばモデムポート、シリアルポート、パラレルポート、ＤＳＬポート、Ｔ１ポートなどの通信ポートは外部デジタルデータソース３００、例えばデジタルオーディオ又はビデオ情報を含む機器に接続することができ、これによって少なくとも一つの外部デジタルデータソースの出力を受信することができる。データプロセッサユニット２００のビデオ出力ポート２０６ａは、ビデオモニターのような外部出力機器４１０の対応するポートに接続することができ、これによってレコード上の位置に対応するオーディオ信号と同期したビデオデータを出力することができる。外部出力機器４１０は、同期ビデオデータを視聴者又はユーザに出力するプログラムビデオモニターも含むことができる。データプロセッサユニット２００のビデオ出力ポート２０６ｂは、ビデオモニターのような外部出力機器４５０の対応するポートに接続することができ、これによって例えばレコード上の位置に対応するオーディオ信号と同期しなかった、又は同期したが見ることができない、或いは視聴者が依然として見ることができないビデオデータを出力することができる。従って、外部出力機器４５０をユーザが使用して、ビデオデータがオーディオ信号と同期する前にビデオデータを見ることができる。データプロセッサユニット２００のデジタルオーディオ出力ポート２０７は、スピーカのような外部出力機器４２０の対応するポートに接続することができ、これによってレコード上の位置に対応するオーディオ信号と同期したオーディオ信号を出力することができる。データプロセッサユニット２００のＭＩＤＩ出力ポート２０８は、デジタルレコーディング機器又はプレイバック機器４４０の対応するＭＩＤＩポートに接続することができ、これによってレコード上の位置に対応するオーディオ信号と同期した外部デジタルデータを記録する、及び／又は再生することができる。制御ユニット１００の出力ポート１０６は、データプロセッサユニットの対応するミキサポート２０９に接続することができ、これによってデジタルミキシング信号を制御ユニットからデータプロセッサユニット２００に送信することができる。データプロセッサユニット２００のキーパッドポート２０３は、キーパッド５００に接続して、ユーザによるキーパッドからの信号を受信することができる。キーパッドからの信号を利用してユーザはデータプロセッサユニット２００を動作させることができる。
【００２１】
本発明の本態様では、外部出力機器４５０はデータプロセッサユニット２００に接続することができ、外部出力機器４５０によってユーザは再生されている音のオーディオ波形、外部出力の波形を閲覧し、外部出力選択を使用しながら任意の外部出力選択を全て走査することができ、更にユーザは種々のユーザ機能を実行することができる。また、モニターはタッチ式とする、及び／又はプログラムの迅速な選択、外部出力選択などを可能にするボタンを含むことができる。
【００２２】
図２は本発明の一実施形態による制御ユニット１００を示している。
【００２３】
図２に示すように、外部デジタルデータソースの出力信号をアナログレコードからのオーディオ信号と同期させるために、アナログレコード内の針位置を求める必要がある。従って、制御ユニット１００はターンテーブルアセンブリ１１０、トーンアームアセンブリ１２０、及びスキャナアセンブリを含むことができ、種々のタイプのこれらの部品について以下に更に詳細に記載する。
【００２４】
本発明の一実施形態では、ターンテーブルアセンブリ１１０はターンテーブルプラッター１１２を含むことができ、このターンテーブルプラッターはスピンドル１１４を中心に回転する支持表面を有する。既存のレコード（図示せず）は、ターンテーブルプラッター１１２の支持表面の上に置き、ターンテーブルプラッターによって回転させることができる。ターンテーブルプラッター１１２は更に中心部１１３を含み、この中心部は支持表面から所定の深さだけ低い位置に凹面を有する。
【００２５】
本発明の一態様では、ターンテーブルプラッター１１２は、ターンテーブルプラッター１１２と一体形成され、且つターンテーブルプラッター１１２から下方に延びる駆動ハブ１１６を含むベルト駆動式ターンテーブルプラッターとして設けることができる。ベルト駆動式アセンブリ１１８内部に含まれる駆動シャフト１１８ａはターンテーブルプラッター１１２に接続され、駆動ベルト１１７によって回転する。本発明の別の態様では、ターンテーブルプラッター１１２は電磁式の直接駆動型ターンテーブルプラッターとすることができる。従って、公知の手段によって、ターンテーブルプラッター１１２は電磁式駆動アセンブリ（図示せず）に接続され、電磁式駆動アセンブリによって回転することができる。ベルト駆動式又は直接駆動式アセンブリのいずれかを使用してターンテーブルプラッター１１２を時計回りの方向に、又は反時計回りの方向に回転させることができる（例えば、制御ユニット内部に配置される回転方向スイッチ（図示せず）が送信する信号によって）。
【００２６】
本発明の一実施形態では、トーンアームアセンブリ１２０はカートリッジ１２２を含むことができ、このカートリッジはトーンアーム１２４及びトーンアームピン１２６を介して制御ユニット１００に回転可能に接続される。トーンアームピン１２６は、スピンドル１１４から第１所定距離ｄ１だけ離れた位置に例えば針１２３を含むことができる。ターンテーブルプラッター１１２が支持する従来のアナログレコードの溝の内部を移動し、溝の形状を検出する機能を備える針１２３は、カートリッジ１２２内部に格納し、トーンアームピン１２６から第２所定距離ｄ２だけ離れた位置に配置することができる。カートリッジ１２２は通常、少なくとも一つのトランスデューサを含み、それにより針１２３が検出する機械振動をアナログ電気信号に変換する。更に、カートリッジ１２２はこれらのアナログ電気信号をデータプロセッサユニット２００に送信し、このユニットが信号をサンプリングするが、これについては以下に更に詳述する。
【００２７】
トーンアームエンコーダ１２８は、針１２３がレコードの溝の内部に位置するときにトーンアーム１２４の動作可能な範囲に入るように、制御ユニット１００上に配置することができる。従って、トーンアームエンコーダ１２８に対するトーンアーム１２４の位置は、公知の光学法、磁気法、又は機械的方法を使用してトーンアームエンコーダ１２８により検出することができる。
【００２８】
本発明の一態様では、トーンアームエンコーダ１２８は、トーンアーム１２４、従って針１２３が静止している、すなわち針がレコードから物理的に離れているときに、公知の機械的方法、磁気法、又は光学法を使用して検出を行なうこともできる。従って、トーンアームエンコーダ１２８をトーンアーム位置トリガーとして使用することができ、このトリガーによって、トーンアーム１２４が静止しているとき（例えば針がレコードから離れているとき）に、トーンアームエンコーダ１２８に対するトーンアーム１２４の位置を示す信号が生成される。
【００２９】
トーンアームアセンブリ信号、すなわちトーンアームエンコーダ１２８に対するトーンアーム１２４の位置を示してアナログレコード上の針１２３の位置を示す信号、及びトーンアーム１２４が静止している時刻を示す信号は、トーンアームエンコーダ１２８からデータプロセッサユニット２００に、出力ポート１０２を通して送信することができる。次に、トーンアームアセンブリ信号をデータプロセッサユニット２００が使用して、従来型レコードの溝を通る針の移動痕跡を追跡することができる。トーンアームアセンブリ信号を使用して、針が最初にレコードに接触した位置（ドロップポイント）を特定することもできる。従って、アナログオーディオ信号の一部を、針１２３がその静止位置から移動した距離に関連付けることができ、この動作については以下に更に詳述する。
【００３０】
図３Ａ〜３Ｂは本発明の一実施形態による第１スキャナアセンブリを示している。
【００３１】
図３Ａ及び３Ｂによれば、第１スキャナアセンブリ１３０はターンテーブルプラッター１１２の中心部１１３の内部に配置することができる。また、第１スキャナアセンブリ１３０はスキャナアーム１３２を介してスピンドル１１４に接続することができる。第１スキャナアセンブリ１３０は回転エンコーダ１３４及びスキャナ１３６を含むことができる。
【００３２】
図３Ｂに示すように、レコード６００をターンテーブルプラッター１１２の支持表面の上に置くと、レコードはスキャナ１３６の近接検出器１３６ｂに接触し、スキャンデバイス１３６ａを起動するので、スキャナ１３６のスキャンデバイス１３６ａはレコード６００上に配列される識別情報を走査し、検出することができる。
【００３３】
図３Ａ及び３Ｂに示されるように、回転エンコーダ１３４は、凹面及びターンテーブルプラッター１１２の支持表面に支持される従来型レコード６００に接触する、ソフトプラスチック製のローラを含むことができる。スキャナ１３６は、例えば任意の光学スキャナ（例えばＬＥＤ、レーザなど）、又はバーコード、磁気片などを読み取る機能を備える磁気タイプのスキャンデバイス１３６ａ、及び例えばバネ付きスイッチのような近接検出器１３６ｂを含むことができる。
【００３４】
図３Ｃに示すように、回転エンコーダ１３４は球形をしたローラ１３４ａを備えることができる。球形ローラ１３４ａは、例えばシリンダー状ローラハウジング１３４ｂに収納することができ、このローラハウジングは、球形ローラ１３４ａの赤道に接触し、且つ速さ及び方向、すなわち球形ローラが回転する速度を検出する少なくとも一つのホイール１３４ｃを含む。従って、従来型レコード６００をターンテーブルプラッター１１２の上に置くと、球形ローラ１３４ａの上側極がレコードに接触する。
【００３５】
図３Ｄに示すように、本発明の別の態様では、回転エンコーダ１３４は円錐状ローラ１３４ｄを備え、このローラは軸１３４ｆを介して回転可能にホイールハウジング１３４ｅに接続される。ホイールハウジング１３４ｅは少なくとも一つのホイール１３４ｇを含み、このホイールは円錐状ローラ１３４ｄの表面に接触して円錐状ローラが回転する速度を検出する。従って、レコード６００をターンテーブルプラッター１１２の上に置くと、円錐状ローラの上面がレコードに接触する。
【００３６】
本発明の更に別の態様では、回転エンコーダ１３４は上述のスキャナ１３６のようなスキャナも含むことができる。従って、本態様では、図３Ａ及び３Ｂに示すスキャナ１３６は取り外すことができ、回転エンコーダ１３４は光学スキャナ（例えばＬＥＤ、レーザなど）を含む回転識別スキャナ、又はレコード６００の瞬間回転速度（すなわち回転の速さと方向）を測定する機能に加え、バーコード、磁気片などを読み取る機能を備える磁気スキャナとして設けることができる。
【００３７】
本発明の一態様では、ターンテーブルプラッター１１２の中心部１１３の凹面はスピンドル１１４を中心に回転する。従って、スピンドル１１４及び第１スキャナアセンブリ１３０は固定位置に留まって、回転エンコーダ１３４を使用してレコード６００の瞬間回転速度を検出することができる。
【００３８】
本実施形態の別の態様では、中心部１１３の凹面はスピンドル１１４を中心には回転しない。従って、スピンドル１１４及びスキャナアセンブリはターンテーブルプラッター１１２の回転方向とは反対の方向に回転し、それにより回転エンコーダ１３４を使用してレコード６００の瞬間回転速度を検出することができる。
【００３９】
瞬間回転速度信号、すなわちターンテーブルプラッター１１２の支持表面の上のレコードの瞬間回転速度を示す信号は、回転エンコーダ１３４又は回転識別スキャナからデータプロセッサユニット２００に送信することができ、このユニットが信号を使用して、ターンテーブルプラッター１１２が回転しているときの針１２３に対するアナログレコードの速さを求める。
【００４０】
識別信号、すなわち演奏している従来型レコードの識別情報を示す信号は、スキャナ１３６又は回転識別スキャナからデータプロセッサユニット２００に送信することができ、このユニットが信号を使用して、アナログレコードの寸法特性及び演奏しているアナログレコードに固有の同期情報を識別する。この動作については以下に更に詳述する。
【００４１】
ラベル信号、すなわち実際のアナログレコードの放射状セグメント内部の溝の一部を識別する信号は、アナログレコード上に配置されるラベルが機能可能な状態でスキャナに近接する度に、前述のスキャナ（例えば、スキャナ１３６、レコードスキャナ１４６、回転識別スキャナ）のいずれかによって生成することができる。この動作については以下に更に詳述する。ラベル信号はデータプロセッサユニット２００に送信され、このラベル信号によってデータプロセッサユニット２００は、針が最初にレコードの上に位置した後の針の位置をピンポイントで特定することができる。この動作についても以下に更に詳述する。
【００４２】
図４は本発明の別の実施形態による第２スキャナアセンブリを示している。
【００４３】
図４を参照すると、第２スキャナアセンブリ１４０はレコードスキャナ１４６を含むことができることが分かる。第２スキャナアセンブリ１４０は、スキャナアーム１４２を介し、回転可能に制御ユニット１００及びヒンジ１４４に接続される。レコードスキャナ１４６は回転識別型スキャナとして設けることができ、この回転識別型スキャナは光学（例えばＬＥＤ、レーザなど）スキャナ、又はバーコード、磁気片などを読み取る機能を備え、且つレコードの回転速度を測定する機能も備える磁気スキャナを含む。ヒンジ１４４によってスキャナアーム１４２はレコード（図示せず）上に位置することができ、これにより、回転スキャナ１４６は、レコードがターンテーブルプラッター１１２によって支持されている状態で、レコード上に配置されるバーコード、磁気片などを読み取ることができる。
【００４４】
本実施形態では、瞬間回転速度信号、識別信号及びラベル信号をレコードスキャナ１４６からデータプロセッサユニット２００に送信することができ、このユニットがこれらの信号を使用して、ターンテーブルプラッター１１２がユーザによって直接、又は前述の駆動アセンブリのいずれかによって駆動されているときの針１２３に対するレコードの速度を求め、且つ演奏しているアナログレコードに固有の寸法特性及び同期情報を識別する。この動作については以下に更に詳述する。
【００４５】
本発明の一態様では、トーンアームエンコーダ、第１スキャナアセンブリ、及び／又は第２スキャナアセンブリはモジュール部品として設けることができ、このモジュール部品は、公知の手段を用いてどのような制御ユニットにも確実に接続することができ、且つ関連する瞬間回転速度信号、トーンアームアセンブリ信号、及びラベル信号をデータプロセッサユニット２００に送信することができる。
【００４６】
図５は本発明の原理によるデータプロセッサユニット２００を示している。
【００４７】
図５に示すように、データプロセッサユニット２００は標準のパーソナルコンピュータ又は専用コンピュータを含むことができ、この場合の専用コンピュータは、少なくとも一つのメディアドライブ２１０と、少なくとも一つのメモリユニット２１２と、制御ユニット１００、外部デジタルデータソース３００、及び外部機器４００の少なくとも一つと通信可能な複数の入出力ポートとを有する。本発明の一態様では、少なくとも一つのメディアドライブはデジタルビデオディスク（ＤＶＤ）ドライブ、コンパクトディスク（ＣＤＲＯＭ）ドライブ、内部ハードドライブ、ポータブルハードドライブなどを含むことができる。本発明の一態様では、少なくとも一つのメモリユニットはランダムアクセスメモリ（ＲＡＭ）、デュアルＲＡＭ、リードオンリーメモリ（ＲＯＭ）、ＥＥＰＲＯＭなどを含むことができる。本発明の一態様では、入出力ポートはデジタルビデオ出力ポート、モニター出力ポート、デジタルオーディオ出力ポート、ネットワーク通信接続ポート（例えば、モデム、ＤＳＬ、Ｔ１など）、一つ以上のＳＣＳＩ又はＵＳＢポートなどを含み、これによって一つ以上の制御ユニットと通信可能である。本発明の一態様では、データプロセッサユニット２００は、ワードクロックプロセッサ２１４及びレコードデータベース２２０も含むことができる。従って、データプロセッサユニット２００は、どのようなＤＶＤ（又は他の適切なあらゆるビデオ／オーディオ形式）もＲＡＭ（又は、高速用途の場合にはＲＯＭ）に保存することができ、複数のビデオを同時に再生し、ビデオをダウンロードし、又はプログラムを保存することができる。
【００４８】
本発明の一態様では、データプロセッサユニット内部に保存することができるプログラムは、自動位置検出プログラム、波形操作プログラム、タイムフィラプログラム、及びアンチスキッププログラムを含むことができる。以下に更に詳述するように、自動位置検出プログラムにより、歌のトラック又はアナログレコードの溝のどこに針が位置しているのを特定することができる。波形操作プログラムにより、外部デジタルソース３００からの波形（すなわちデジタル波形）と制御ユニット１００からの波形（すなわちアナログ波形）とを比較し、２つの波形を一緒に固定し、アナログオーディオ波形が出力された後にデジタル波形の出力を所定時間、例えば３０秒の間待機させることができる。タイムフィラプログラムは、演奏しているレコードの外部出力情報が無い場合、ランダムなビデオ出力又は任意のビデオ出力をオーディオ波形に提供することができる。アンチスキッププログラムは、制御ユニット１００からのオーディオ信号を、制御ユニットと同期するデジタルオーディオソースからのオーディオ信号に置き換える。従って、アンチスキッププログラムによって、例えば制御ユニットの針１２３がレコードの溝をスキップ又は跳び越える場合に、アナログレコードからの歌がかかったままの状態を保つことができる。
【００４９】
どのようなレコードも、オーディオ情報が収納されている少なくとも一つの面を有するということを考えると、レコードの各面は固有のデータベース情報のセットによって独自に識別し、且つ特徴付けることができる。従って、レコードの各面において、レコードデータベース２２０は複数のデータベースフィールドを含み、これらのデータベースフィールドの各々は、例えば識別情報、書誌情報、寸法情報、及び外部データ情報に関連するデータベース情報を含む。
【００５０】
識別情報は、例えば、前述のスキャナ機器のいずれによっても読み出すことができるラベル（例えば、バーコード、磁気片など）に格納することができる。本発明の一態様では、ラベルはアナログレコードの上に設けられるラベル領域に配置することができる。以下に更に詳述するように、ラベルによってデータ処理ユニット２００には、アナログレコードの溝に針を最初に置いた後の針の位置を正確に特定するための基本条件が与えられる。従って、ラベルによってアナログオーディオレコードの出力が外部デジタルデータソースの出力と同期し易くなる。
【００５１】
書誌情報は、例えば、レコードのタイトル及び／又はレコードの特定面、アーティスト名、プロデューサ名、レコード会社名、レコードをかけるために設定される１分当たりの回転数（ＲＰＭ）などに関連する情報を含むことができる。書誌情報は、ユーザインターフェイス２２２を介し、任意の公知の方法を使用してレコードデータベース２２０に入力することができる。
【００５２】
外部データ情報は、例えば、外部データファイル名、外部デジタルデータソースのような外部データファイルソース、アナログレコードのオーディオ信号と同期させる必要のある波、外部データファイルなどのデジタル／アナログのオーディオ／ビデオ波形に関する情報を含むことができる。
【００５３】
寸法情報は、通常、従来型アナログレコードの演奏しようとする面の溝の形状を表わす情報（例えばアナログ波形）を含むことができる。
【００５４】
寸法情報は、レコードの各面が基本的に単一の渦巻状の溝から成り、溝には互いに直交する２つの側壁が設けられ、これらの側壁はサウンドを記録し、再生する２つのステレオチャネルを表わすことを認識することにより取得することができる。静寂、すなわち空気に圧力変動が無い状態は、平滑な側壁を有する溝構造によって表現する。その時々の音は、側壁上にリプルを有する溝構造により表現する。リプルの振幅及び波長によって、ビニルレコードに格納されるオーディオ信号の品質、例えば音量、音程、制御ユニット１００からデータプロセッサユニット２００に送信されるオーディオ信号の品質、及び最終的には、音の特定の品質を空気圧変動として生成する例えばスピーカのような外部機器に送信されるオーディオ信号の品質が決まる。溝が内側、すなわちアナログレコードの中心に向かって進むにつれて、側壁上のリプルが縮まり、よって針１２３が溝内を進む、すなわち渦巻状溝の外側部分から内側部分に進むにつれて生じるレコード表面の速さの差が補償される。
【００５５】
従って図６に示すように、サンプリングプロセスにおいてアナログレコードの波形マップを生成することにより、寸法情報を生成し、レコードデータベースに保存することができる。一般的に、レコードの一方の面の波形マップの生成は、ユーザによる生成前段階の一部と観ることができる。
【００５６】
波形マップを生成するに当たって、データプロセッサ２００は制御ユニット１００から送信されるアナログオーディオ波形（例えばアナログ波形）をサンプリングし、サンプリング済みアナログ波形の部分を、針がその静止位置から移動した距離を示すトーンアームアセンブリ信号の対応する値に相関させる。従って、波形マップは、まず従来型レコード６００をターンテーブルプラッター１１２の上に置き、ターンテーブルプラッター１１２を回転させ、針がその静止位置にあるとき（例えばレコードから離れているとき）にトーンアームエンコーダを初期化し、針１２３を静止位置から解放し、回転しているレコードの上の所定位置に針１２３を置き（例えば歌の「開始」位置）、溝側壁と針１２３との相互作用により生じるアナログオーディオ波形をサンプリングし、当該サンプリング済みオーディオ波形をレコードデータベースに保存することにより生成することができる。本発明の一態様では、針がその静止位置にあるときにトーンアームエンコーダを初期化することによって、データプロセッサユニット２００にトーンアームアセンブリ信号が送信され、この信号によってトーンアームアセンブリ、従って針が静止位置（例えば「ゼロ」位置）にあることを通知する。以下に更に詳述するように、針が移動した距離を示す全ての距離は、この静止位置を基準とする。
【００５７】
本発明の一態様では、波形のサンプリング中に、針１２３が溝に沿って、例えば渦巻状溝を回ってレコードの中心に向かって進むと、溝構造の側壁内部のリプルが徐々に低下する速さで針１２３を通過し（溝内部のリプルの線形又は接線速度は、針１２３の半径にレコードの回転速度を乗じた値に比例する）、データプロセッサユニット２００は、徐々に上昇するレートで行なわれる針１２３と溝側壁との相互作用により生じるアナログオーディオ波形をサンプリングすることができ、その際全体に渡って一定のレートでアナログオーディオ波形をサンプリングできる。
【００５８】
本発明の原理によれば、徐々に上昇するオーディオ波形のサンプリングレートは針位置及び基本サンプリングレートに関する情報を使用して求めることができる。更に詳細には、オーディオ波形のサンプリングレートはスピンドル１１４からの針１２３の瞬間半径方向距離ｒに反比例する。従って、任意の半径方向距離でのオーディオ波形のサンプリングレートは、基本サンプリングレートを基準とする必要がある。レコード面が基本ターンテーブル速度で針１２３を通過すると仮定すると、基本サンプリングレートはデータプロセッサユニット２００がアナログ波形を生成するレートである。
【００５９】
本発明の一態様では、基本サンプリングレートは、アナログレコードの回転速度の基準である１分間当たり回転数（ＲＰＭ）に従って得られる。ＲＰＭ値はユーザが直接データプロセッサユニット２００に入力することができる。本発明の別の態様では、基本サンプリングレートは、前述のスキャナ機器のいずれかを使用してラベルのＲＰＭを測定することにより得ることができる。本発明の更に別の態様では、基本サンプリングレートは、ターンテーブルプラッター１１２が回転している速さを示すピッチコントローラ（図示せず）からの信号を受信することにより得ることができる。本発明の更に別の態様では、基本サンプリングレートは、ターンテーブルプラッター１１２に（例えば、光学的、電気的、磁気的、機械的に）接続されるセンサを使用してターンテーブルプラッター１１２のＲＰＭを直接測定することにより得ることができる。
【００６０】
本発明の原理によれば、瞬間半径方向距離ｒはトーンアームエンコーダ１２８から送信されるトーンアームアセンブリ信号の値に対応する。トーンアームアセンブリ信号を受信すると、データプロセッサユニット２００は、例えば、スピンドル１１４とトーンアームピン１２６との間に検出される直線ライン部分に対するトーンアーム１２４の瞬間角度位置θに関する情報を求めることができる。余弦定理を適用して、データプロセッサユニット２００は瞬間半径方向距離ｒ、従って針１２３が溝に沿って進むときのオーディオ波形のサンプリングレートを正確に決定することができる。従って、アナログオーディオレコードをサンプリングする際、針がその静止位置から移動した距離と、該移動距離に固有のサンプリング済みアナログオーディオ波形との間の、絶対的対応関係を波形マップに保存することができる。
【００６１】
本発明の一態様では、針が移動した距離の少なくとも一部（例えば弧長）に関連するトーンアームアセンブリ測定値に関する前述のいずれかのスキャナの位置、針とトーンアームピンとの距離、及びトーンアーム１２４のスキャナに対する弧の向きは、波形マップの生成中に求めることができる。本発明の別の態様では、前述の測定値はデータプロセッサユニット２００に送信することができる。
【００６２】
本発明の一態様では、ラベル信号は、アナログオーディオレコードのサンプリングを行う間に、ラベルが機能可能な状態でスキャナに近接するとき、前述のスキャナのいずれかによって生成することができる。ラベルが機能可能な状態でスキャナに近接する度に（例えば、回転すると、ラベルはまずスキャナによって読み取り可能になる）、ラベル信号がデータプロセッサユニット２００に送信されるので、ラベルポイントが波形マップにマークされる。波形マップ上のラベルポイントの位置は、各ラベル信号が送信されるときの針の移動距離に対応し、これらの位置によってアナログレコードの溝の内部の針の位置の特定が容易になる。これについては以下に更に詳述する。従って、アナログレコードからのアナログオーディオ信号をサンプリングする際、針がその静止位置から移動した距離と少なくとも一つのラベルポイントとの間の関係であって、前述のトーンアームアセンブリ測定値のいずれかの値に基づく絶対的対応関係が、波形マップの内部に生成される。
【００６３】
レコードデータベース２２０に波形マップを生成した後、サンプリング済みアナログオーディオ波形に関する同期情報を同期マップに含めることができる。
【００６４】
本発明の一態様では、波形操作プログラムを使用して同期マップを生成することができる。従って、波形操作プログラムによって波形マップのアナログ波形の少なくとも２箇所（すなわち「同期ポイント」）をサンプリングすることにより、外部デジタルソース（例えば、ビデオ、オーディオなど）からのデジタル出力信号をアナログレコードと同期させ、次にこれらの同期ポイントを波形マップにマークすることができる。しかしながらここで、アナログ波形からサンプリングする同期ポイントを更に多くすると、同期マップ、即ちアナログ波形とデジタル波形との間の同期が更に正確になることに注意されたい。
【００６５】
次に、アナログ波形の同期ポイントを波形マップにマークし、続いて外部デジタルソースからの出力（例えばデジタル波形）の対応する箇所と一致させてデジタル波形をアナログ波形と同期させる。本発明の一態様では、一致作業は手動（例えばユーザ主導）又は自動（例えばプロセッサ主導）で行なうことができる。
【００６６】
手動によりアナログ波形の同期ポイントをデジタル波形の対応ポイントに一致させる際、アナログ波形の一部（例えば最初の部分）の第１同期ポイント（すなわち「スタートポイント」）を選択して波形マップにマークし、デジタル波形の該当する部分に一致させることができる。次に、アナログ波形の少なくとも一つの後続同期ポイントを選択し、マークし、デジタル波形の適切な該当箇所と一致させる。本発明の一態様では、アナログ波形に同期させるデジタル波形の数に応じて、アナログ波形の同期ポイントをデジタル波形の対応箇所と一致させるプロセスを必要なだけできる限り多く繰り返す。本発明の別の態様では、波形マップ内に二つ以上のアナログ波形がある場合（例えば、アナログオーディオレコードに二つ以上のトラックがある場合）、二つ以上の「スタートポイント」及び後続の同期ポイント群を選択することができる。
【００６７】
自動でアナログ波形の各箇所をデジタル波形の対応箇所と一致させる際、データプロセッサユニット２００はデジタル波形の１分間当りの拍数（ＢＰＭ）を計算し、例えばアナログ波形の最初の２つの小節をサンプリングし、アナログ波形のサンプリングされた箇所をデジタル波形の算出ＢＰＭに一致させる。続いて、データプロセッサユニット２００は少なくとも一つのスタートポイントを波形マップにマークし、当該スタートポイントをデジタル波形の対応する箇所に一致させ、アナログ波形及びデジタル波形の適切な終点を計算し、終点を波形マップにマークする。
【００６８】
本発明の一態様では、ビートスタンプを行なって、２つの波形のビートが一致する箇所のアナログ波形及びデジタル波形に同期ポイントをマークすることができる。
【００６９】
本発明の別の態様では、波形マップが生成されるアナログレコードは「既知データ」レコードとして供給することができる。「既知データ」レコードは、所定のデジタル波形に固有の頭だし情報を含むレコードである。従って、「既知データ」レコードから生成される波形マップの少なくとも一つの同期ポイント（例えばスタートポイント）は、所定のデジタル波形の対応する箇所に一致させることができる。
【００７０】
同期マップの生成は、特定のアナログ波形の同期ポイントの全てをデジタル波形（群）の対応する箇所に一致させ、波形マップにマークしてしまうと完成する。完成した同期マップ、すなわち基本的に、制御ユニット１００からのアナログ信号の実波形を含まないマーク済み波形マップは、続いてデータプロセッサユニット２００に保存し、サンプリング済みアナログレコードに同期させてデジタル波形を出力するのが望ましい場合に取り出すことができる。従って、特定のアナログレコードの同期マップは、針がその静止位置から移動した距離に関するラベルポイント及び同期ポイントの位置を表わす情報を含む。従って、特定のアナログレコードについて、アナログ波形と同期するデジタル波形の出力は、ラベル信号及び針がその静止位置から移動した距離を示すトーンアームアセンブリ信号の値に従って制御することができる。これについては以下に更に詳述する。
【００７１】
本発明の一態様では、今後アナログレコードを更に別のデジタル波形と同期させるかどうかによって、元の波形マップを消去するか、又はレコードデータベース２２０に保存することができる。
【００７２】
アナログレコードを処理したら（例えば、ラベルを付け、サンプリングし、解析し、マークを付けてデジタル波形を同期させる対象となる基準を提供する）、アナログレコードの回転速度又は針位置に関係なく、当該アナログレコードを同期マップが生成される対象となった一つ以上の外部デジタルデータソースに同期させて演奏することができる。
【００７３】
本発明の原理に従い、外部デジタルソースからの所定のデジタル波形に同期させて、当該アナログレコードのサンプリングに使用したものと同じ制御ユニット（すなわちオリジナル制御ユニット）又は当該アナログレコードのサンプリングに使用した制御ユニットとは異なる制御ユニット（すなわち、非オリジナル制御ユニット）の上で、処理済みアナログレコードを演奏することができる。更に、オリジナル制御ユニットと連動させて使用して、種々の波形のサンプリング、同期などを行なうデータプロセッサユニットを、本明細書においてオリジナルデータプロセッサユニットと呼ぶ。
【００７４】
本発明の一態様では、処理済みレコードを演奏する制御ユニットに固有の前述のいずれかのトーンアームアセンブリ測定値に対する前述のいずれかのスキャナ機器の位置は、波形マップ生成中のトーンアームアセンブリに対するスキャナの位置とほぼ同じとすることができる。本発明の別の態様では、処理済みレコードを演奏する制御ユニットに固有の任意のトーンアームアセンブリ測定値に対する前述のいずれかのスキャナ機器の位置は、波形マップ生成中のトーンアームアセンブリに対するスキャナの位置とは異なる。本発明の更に別の態様では、処理済みレコードを演奏する制御ユニットに固有のトーンアームアセンブリ測定値に対する前述のいずれかのスキャナ機器の位置は、波形マップ生成中に送信されるトーンアームアセンブリ測定値に対する前述のいずれかのスキャナ機器の位置に相関させることができる。従って、スキャナ機器と波形マップ生成中の針の位置との間の最初の空間的関係を、処理済みレコードの演奏中に維持することができる。本発明の一態様では、前述のスキャナ機器のいずれかと処理済みレコードの演奏中に使用する針との間の空間的関係を使用して最初の空間的関係を求めることができる。
【００７５】
本発明の一態様では、所定のデジタル波形と同期させて処理済みレコードを演奏する制御ユニット１００は、オリジナル制御ユニットとすることができる。従って、処理済みレコードをターンテーブルプラッター１１２に置き、回転させることができる。処理済みレコードが回転すると、瞬間回転速度信号及びラベル信号が生成される。レコードのラベルが付された領域に動作可能に近接して配置されると、第１又は第２スキャナアセンブリはラベルを走査して、少なくとも一つの所定のデジタル波形と同期する形で演奏しようとするアナログレコードの特定面に固有の識別情報を求めることができる。
【００７６】
処理済みレコードをターンテーブルプラッター１１２に置いた後、スキャナ１３６又はレコードスキャナ１４６をラベルの付いた領域に動作可能に配置してアナログレコードの識別情報を求めることができる。ここで、スキャナのタイプに応じて（例えば、第１又は第２スキャナアセンブリのスキャナ）、レコードの特定面に付けるラベルは、実際に針１２３に接触する面と同じレコード面に配置される場合と、反対のレコード面に配置される場合があることに注意されたい。識別情報を求めた後、書誌情報及び所定の同期マップを求める。
【００７７】
続いて、トーンアームエンコーダを初期化し、針を処理済みレコードの溝の任意の位置に置くことができる。
【００７８】
最初に針１２３を溝に置くと、トーンアームエンコーダに対するトーンアーム１２４の位置を示すトーンアームアセンブリ信号をデータプロセッサユニット２００に送信することができる。しかしながら、溝における針の正確な位置は、少なくとも一つのラベル信号がデータプロセッサユニット２００に送信されて自動位置検出プログラムによって処理されるまで求めることができない。送信済みラベル信号に基づいてトーンアームアセンブリ信号を処理することにより、処理済みレコードの溝における針の正確な位置を求めることができる。
【００７９】
例えば、処理済みレコードの溝の任意の位置に針を置き、処理済みレコードを長時間回転させたままにしている間に針がアナログオーディオ信号を生成し続けると、生成されるアナログオーディオ信号は、当該アナログレコードの同期マップの基となったアナログ波形とほぼ同じである。従って、アナログ波形に同期させた所定のデジタル波形は、データプロセッサユニット２００によって自動的に生成アナログオーディオ信号に同期する。
【００８０】
しかしながら、例えば処理済みレコードの溝に置いた針を操作して（例えばターンテーブルプラッターを「こする」、回転を速くする、回転を遅くするなど）、生成されるアナログオーディオ信号を同期マップの基となったアナログ波形からずらすと、データプロセッサ２００は前述のいずれかのスキャナによって送信された瞬間回転速度信号を使用してレコード上の針位置を正確に求めることができる。
【００８１】
従って、レコード上の針の最後に判明する位置が既知であるので、針がその静止位置から移動した最後に判明する距離、従って同期マップの有効部分、出力される所定のデジタル波形の最後に判明する部分も既知である。ユーザ操作直前の処理済みレコードの瞬間回転速度が既知であるので、ユーザ操作直前の針位置におけるレコード表面速度も針のその静止位置からの距離に関する情報により既知となる。従って、レコード速度がユーザによって変えられると、データプロセッサユニット２００は針のその静止位置からの距離を計算することができ、同期マップ内の針位置を求めることができる。従って、瞬間回転速度信号を使用し、ユーザが制御ユニットを操作することによって生成されるアナログオーディオ信号と同期するデジタル波形を出力することができる。
【００８２】
本発明の別の態様では、所定のデジタル波形と同期させて処理済みアナログレコードを演奏する制御ユニット１００を非オリジナルユニットとすることができる。従って、オリジナルデータプロセッサユニットは、非オリジナル制御ユニット内部の適切な出力ポートに接続することができる。前述のトーンアームエンコーダ及び第１又は第２スキャナアセンブリを含むか、又は含まない非オリジナル制御ユニットの所定のデジタル信号に同期させて、処理済みレコードのアナログオーディオ信号を出力することができる。非オリジナル制御ユニットがトーンアームエンコーダ及びスキャナアセンブリを含まない場合、この制御ユニットに足りない部品を補充することができる。
【００８３】
続いて、較正レコード（例えば、オリジナル制御ユニットを使用して同期マップが既に生成されている、基本的に上述の方法で処理されたアナログレコード）を非オリジナル制御ユニットのターンテーブルに置いて回転させることができる。較正レコードが回転すると、瞬間回転速度信号及びラベル信号が生成される。レコードのラベルが付された領域に動作可能に近接して置かれると、第１又は第２スキャナアセンブリはラベルを走査して較正レコードの特定面に固有の識別情報を求めることができる。
【００８４】
トーンアームエンコーダが初期化され、非オリジナル制御ユニットの針を較正レコードの上に（例えば、較正レコードの開始部分に）置いた後、トーンアームアセンブリ信号及びラベル信号が送信され、オリジナルデータプロセッサユニット２００によって処理される。送信済みラベル信号及びトーンアームアセンブリ信号を使用して、オリジナルデータプロセッサユニット２００は、非オリジナル制御ユニット上で針がその静止位置から移動した距離に対して測定されたラベルポイントの新規セットを生成する。従って、較正レコードのオリジナル同期マップと較正レコードの非オリジナル同期マップとの間の相関を生成することができる。例えば、オリジナル制御ユニットを使用して求めた複数のラベルポイント及び針の種々の移動距離の関係を、非オリジナル制御ユニットを使用して求めた複数のラベルポイント及び針の種々の移動距離の関係に相関させることができる。次にこの相関を、オリジナル制御ユニットによって処理され、所定のデジタル波形に同期させて非オリジナル制御ユニット上で演奏する任意のレコードに適用することができる。
【００８５】
較正レコードが、非オリジナル制御ユニット上で演奏され、オリジナルデータプロセッサユニットによって相関を求めた後、オリジナル制御ユニットを使用する処理済みレコードからのアナログオーディオ信号は全て、所定のデジタル波形に同期させ、非オリジナル制御ユニットを使用して出力することができる。
【００８６】
ここで、全てのレコードが、スピンドル１１４を挿入することができる同じサイズの穴を有する必要はないことに留意されたい。例えば、穴が大きすぎる場合、レコードの半径方向の動きの悪影響により、針位置とサンプリング済みアナログオーディオ波形との相関が破壊されてしまう場合がある。本発明の原理によれば、回転速度を検出する機能を備える前述のスキャナは、データプロセッサユニット２００に信号を送信して、演奏しているレコードの異常な半径方向の動きを全て補償することができるので、針位置とサンプリング済みアナログオーディオ波形との間の相関を維持することができる。
【００８７】
本技術分野の当業者には、本発明の技術思想又は技術範囲を逸脱しない範囲で本発明に種々の変形及び変更を加え得ることが明らかであろう。従って、本発明は、それが本発明の請求の範囲及びその等価物の技術範囲に含まれるものであるかぎり、それらの変形及び変更を全て包含するものであり、複数のタイプのスキャナ機器が読み取り可能なラベルとしてレコードの各面についての識別情報が提供される一方、各レコード面についての識別情報をデータプロセッサユニット２００に公知の手段によって直接入力することもできる。
【図面の簡単な説明】
【００８８】
【図１】レコードの表面上の位置に固有のオーディオ情報を同期させる本発明の原理による装置を示す。
【図２】本発明の一実施形態による制御ユニットを示す。
【図３】Ａ、Ｂは本発明の一実施形態による第１スキャナアセンブリを示し、Ｃ、Ｄは本発明の別の実施形態による回転エンコーダを示す。
【図４】本発明の別の実施形態による第２スキャナアセンブリを示す。
【図５】本発明の原理によるデータプロセッサユニットを示す。
【図６】レコードデータベースへの寸法情報の入力を可能にする方法を示す。
【図１】
0004776231.tif 000002
【図２】
0004776231.tif 000003
【図３Ａ】
0004776231.tif 000004
【図３Ｂ】
0004776231.tif 000005
【図３Ｃ】
0004776231.tif 000006
【図３Ｄ】
0004776231.tif 000007
【図４】
0004776231.tif 000008
【図５】
0004776231.tif 000009
【図６】
0004776231.tif 000010